(57)【要約】本発明は、高速開閉する容器栓用の柱状栓体を開示している。この柱状栓体は、栓棒を備え、前記栓棒の底部には容器へ挿入又は容器から引き抜き可能なベースが設けられ、前記ベースの形状及び大きさが容器の注ぎ口ストレート部又は容器の最小断面の形状及び大きさに合わせられ、前記ベースの中心には、容器の内外圧力のバランスを保持するための通気孔が設けられ、前記通気孔には通気弁が設けられている。本発明の高速開閉する容器栓用の柱状栓体は、構造が簡単で、コストが低く、容器の開放及び閉鎖過程でいずれも容器の内外圧力のバランスを保持することができ、容器栓の開放及び閉鎖の難しさが減らされる等の長所がある。【選択図】図1
2019501843.tif 000002
【特許請求の範囲】
【請求項１】
栓棒を備え、前記栓棒の底部には容器へ挿入又は容器から引き抜き可能なベースが設けられ、
前記ベースの形状及び大きさが前記容器の注ぎ口ストレート部又は前記容器の最小断面の形状及び大きさに対応するように構成される高速開閉する容器栓用の柱状栓体であって、
前記ベースの中心には、前記容器の内外圧力のバランスを保持するための通気孔が設けられ、
前記通気孔には通気弁が設けられている、ことを特徴とする高速開閉する容器栓用の柱状栓体。
【請求項２】
前記通気弁は、弁ロッドと弁ブロックとを備え、
前記弁ロッドの上部は前記弁ブロックに接続され、
前記弁ブロックと前記弁ロッドは一体成型構造又は別体構造であり、
前記弁ロッドには通気ばねが装設され、前記通気ばねは、前記弁ブロックと前記ベースとの間に位置し、
前記弁ロッドの底部は前記通気孔に挿し込んだ後、シールリングが被せられ、前記弁ロッドには、前記シールリングに対応するに対応する一周の凹溝が設けられている、
ことを特徴とする請求項１に記載の高速開閉する容器栓用の柱状栓体。
【請求項３】
前記栓棒は、フラットボディの中空栓棒であり、
前部シェルと後部シェルとを含み、前記前部シェル及び前記後部シェルは係合型で移動を可能とするように接続されているものであり、
前記通気弁は、栓棒の中空のキャビティー内に設けられることを特徴とする請求項１又は２に記載の高速開閉する容器栓用の柱状栓体。
【請求項４】
前記通気弁の上方には、ロッキングするためのロック構造が設けられている、
ことを特徴とする請求項３に記載の高速開閉する容器栓用の柱状栓体。
【請求項５】
前記ロック構造は、少なくとも一つのばね位置決めピンを備え、
前記ばね位置決めピンは位置決めピンブロックを含み、
前記位置決めピンブロック内には位置決めばねが設けられ、
前記ベースの中部と位置決めばねが合わせられる位置には位置決めばねストッパーが設けられ、
前記位置決めばねストッパーは、中心から一定の距離で離され、
前記位置決めピンブロックは、栓棒内に係止されるための位置決め部と、栓棒から張り出して押圧するための押圧部とを備え、
前記位置決め部の底面には、通気弁を下方へ動くように押圧して通気孔を開くための第１の斜面部が設けられている、
ことを特徴とする請求項４に記載の高速開閉する容器栓用の柱状栓体。
【請求項６】
前記ばね位置決めピンは二つあり、
二つのばね位置決めピンは半径方向に沿って対向配置されている、
ことを特徴とする請求項５に記載の高速開閉する容器栓用の柱状栓体。
【請求項７】
前記通気弁の弁ブロックの上面には、
第１の斜面部と合わせる第２の斜面部が設けられている、
ことを特徴とする請求項６に記載の高速開閉する容器栓用の柱状栓体。
【請求項８】
二つの位置決めばねストッパーの間は押圧通路を形成し、
前記押圧通路内にはばね押圧ピンが設けられ、
前記ばね押圧ピン内には押圧ばねが設けられ、
前記ばね押圧ピンの底部には、両側に位置するばね位置決めピンのスリップをストップするための一文字形状のストッパーが設けられ、
前記ばね押圧ピンの下方には、押圧ばねストッパーが設けられていることを特徴とする請求項７に記載の高速開閉する容器栓用の柱状栓体。
【発明の詳細な説明】
【技術分野】
【０００１】
本発明は、容器栓の技術分野に関し、具体的には、高速開閉する容器栓用の柱状栓体に関する。
【背景技術】
【０００２】
出願人は、２０１５年５月１１日に中国特許庁へ「一種高速開閉する容器栓」というものを特許出願し、既に実用新型の特許権を取得した。この特許文献には、次のような高速開閉する容器栓が開示された。即ち、柱状栓体と、環状栓体と、弾性シールカートリッジとを備え、前記柱状栓体は栓棒を含み、前記栓棒の底部には、容器へ挿入又は容器から引き抜き可能なベースが設けられ、前記ベースの形状及び大きさは、容器の注ぎ口ストレート部又は容器の最小断面の形状及び大きさに合わせられ、前記ベースの上方には環状栓体が設けられ、環状栓体とベースとの間には屈曲変形可能な弾性シールカートリッジが設けられ、環状栓体とベースは、いずれも外力の作用により容器内で容器の軸方向に沿って互いに動いて前記弾性シールカートリッジを押し出し、弾性シールカートリッジを半径方向に膨張させて外方へ屈曲させ、容器の内壁とベースの外輪郭との間のシールリングを形成することができ、前記シールリングの外輪郭のサイズは、前記容器の注ぎ口ストレート部の内表面のサイズ又は容器の最小断面の内表面のサイズよりも大きく、前記シールリングはベースと共に容器の高速閉鎖を実現するシール層を形成する。この高速開閉する容器栓は、使用が便利で、密封性がよく、保温効果が優れ、安全性が高く、使用寿命が長い等の長所を有するが、この容器栓を用いた場合、柱状栓体を上方へ引き抜く過程は、容器を真空化する過程に相当し、閉鎖容器を引き抜くことが困難になり、また、この容器栓を用いることによって、内部に液体を入れた後、特に容器内にサイダーのような炭酸飲料等の液体を入れると、炭酸飲料に大量の二酸化炭素ガスが存在するため、二酸化炭素ガスが液体の内部から徐々に抜き出して容器内に蓄積され、容器の内部の圧力を過大にし、容器栓を開放する過程において柱状栓体の下方への移動が困難となることがある。
【発明の概要】
【発明が解決しようとする課題】
【０００３】
本発明の目的は、構造が簡単で、コストが低く、容器の開放及び閉鎖過程でいずれも容器の内外圧力のバランスを保持することができ、容器栓の開放及び閉鎖の難しさが減らされることができる高速開閉する容器栓用の柱状栓体を提供することにある。
【課題を解決するための手段】
【０００４】
本発明は、以下の技術案により実現することができる。
【０００５】
栓棒を備え、前記栓棒の底部には容器へ挿入又は容器から引き抜き可能なベースが設けられ、前記ベースの形状及び大きさが容器の注ぎ口ストレート部又は容器の最小断面の形状及び大きさに対応するように構成される高速開閉する容器栓用の柱状栓体であって、前記ベースの中心には、容器の内外圧力のバランスを保持するための通気孔が設けられ、前記通気孔には通気弁が設けられている。本発明の高速開閉する容器栓用の柱状栓体は、ベースの中心に通気孔を設けると共に、通気孔に通気弁を設けることによって、柱状栓体の上方への移動で容器を閉鎖する、又は下方への移動で容器を開放する過程でいずれも通気孔を介して容器の内外圧力のバランスの保持を実現し、その部品が少なく、構造が簡単で、コストが低い。一方、容器を開放する時、柱状栓体は容器栓におけるストッパーベースから外され、通気弁が開かれ、容器の内外が通気孔により連通され、柱状栓体は容器栓における弾性シールカートリッジの弾性力の作用の下で下方へ移動し、柱状栓体の下方への移動過程において容器の内外圧力は、通気孔の連通によって常時に内外圧力のバランスが保持され、この過程では容器の内外の圧力差（通気孔がない場合、その状態で容器の内圧力が容器の外圧力よりも大きい）を克服する必要がない。例えば、容器内にサイダーのような炭酸飲料等の液体を入れると、炭酸飲料に大量の二酸化炭素ガスが存在するため、二酸化炭素ガスが液体の内部から徐々に抜き出して通気孔から容器の外部へ排出され、弾性シールカートリッジは、柱状栓体を迅速に下方へ連れて移動させ自然状態まで回復し、容器を高速に開放して、容器内の圧力の大き過ぎによる容器栓の開放過程で柱状栓体が下方へ移動し難いことを効果的に回避できる。他方に、容器栓は、柱状栓体を引き上げて上方へ移動させ容器を閉鎖する過程で、通気弁が開かれた状態にあり、容器の内外が通気孔により連通され、柱状栓体が引っ張れて上方へ移動する過程で、容器の内外圧力は常時にバランスが保持され、柱状栓体がロックするまで上方へ移動すると、通気弁が閉鎖され、同時に容器が閉鎖されるため、柱状栓体は引っ張れて上方へ移動する過程で容器の内外の圧力差（通気孔がない場合、その状態で容器の外圧力が容器の内圧力よりも大きい）を克服する必要がなく、引っ張りやすい。非常に小さい力で柱状栓体を上方へ移動するよう引っ張って容器の閉鎖を実現でき、上方へ引っ張る過程で真空化状態になって容器の内外の圧力差を克服しなければならないためによる上方への引っ張りが困難となることを回避する。
【０００６】
さらに、前記通気弁は、弁ロッドと弁ブロックとを備え、前記弁ロッドの上部は弁ブロックに接続され、前記弁ブロックと弁ロッドは一体成型構造又は別体構造であり、前記弁ロッドには通気ばねが装設され、前記通気ばねは、弁ブロックとベースとの間に位置し、前記弁ロッドの底部は通気孔に挿し込んだ後、シールリングが被せられ、前記弁ロッドには、シールリングに対応する一周の凹溝が設けられている。
【０００７】
さらに、前記栓棒は、フラットボディの中空栓棒であり、前部シェルと後部シェルとを含み、前記前部シェル及び後部シェルは係合型で移動を可能とするように接続されているものであり、前記通気弁は、栓棒の中空のキャビティー内に設けられる。
【０００８】
さらに、前記通気弁の上方には、ロッキングするためのロック構造が設けられている。
【０００９】
さらに、前記ロック構造は、少なくとも一つのばね位置決めピンを備え、前記ばね位置決めピンは位置決めピンブロックを含み、前記位置決めピンブロック内には位置決めばねが設けられ、前記ベースの中部と位置決めばねが合わせられる位置には位置決めばねストッパーが設けられ、前記位置決めばねストッパーは、中心から一定の距離で離され、前記位置決めピンブロックは、栓棒内に係止されるための位置決め部と、栓棒から張り出して押圧するための押圧部とを備え、前記位置決め部の底面には、通気弁を下方へ動くように押圧して通気孔を開くための第１の斜面部が設けられている。
【００１０】
さらに、前記ばね位置決めピンは二つあり、二つのばね位置決めピンは半径方向に沿って対向配置されている。
【００１１】
さらに、前記通気弁の弁ブロックの上面には第１の斜面部と合わせる第２の斜面部が設けられている。
【００１２】
さらに、二つの位置決めばねストッパーの間は押圧通路を形成し、前記押圧通路内にはばね押圧ピンが設けられ、前記ばね押圧ピン内には押圧ばねが設けられ、前記ばね押圧ピンの底部には、両側に位置するばね位置決めピンのスリップをストップするための一文字形状のストッパーが設けられ、前記ばね押圧ピンの下方には、押圧ばねストッパーが設けられている。
【発明の効果】
【００１３】
本発明の高速開閉する容器栓用の柱状栓体は、次のような有益な効果を奏する。
【００１４】
第一に、構造が簡単で、コストが低い。また、本発明の高速開閉する容器栓用の柱状栓体は、ベースの中心に通気孔を設けると共に、通気孔に通気弁を設けることによって、柱状栓体の上方への移動で容器を閉鎖する、又は下方への移動で容器を開放する過程でいずれも通気孔を介して容器の内外圧力のバランスの保持を実現し、その部品が少なく、構造が簡単で、コストが低い。
【００１５】
第二に、容器の開放及び閉鎖過程でいずれも容器の内外圧力のバランスを保持でき、容器栓の開放及び閉鎖の難しさが減らされる。容器を開放する時、柱状栓体は容器栓におけるストッパーベースから外され、通気弁が開かれ、容器の内外が通気孔により連通され、柱状栓体は容器栓における弾性シールカートリッジの弾性力の作用の下で下方へ移動し、柱状栓体の下方への移動過程において容器の内外圧力は、通気孔の連通によって常時に内外圧力のバランスが保持され、この過程では容器の内外の圧力差（通気孔がない場合、その状態で容器の内圧力が容器の外圧力よりも大きい）を克服する必要がない。例えば、容器内にサイダーのような炭酸飲料等の液体を入れると、炭酸飲料に大量の二酸化炭素ガスが存在するため、二酸化炭素ガスが液体の内部から徐々に抜き出して通気孔から容器の外部へ排出され、弾性シールカートリッジは、柱状栓体を迅速に下方へ連れて移動させ自然状態まで回復し、容器を高速に開放して、容器内の圧力の大き過ぎによる容器栓の開放過程で柱状栓体が下方へ移動し難いことを効果的に回避して、容器の開放の難しさが減らされる。他方、容器栓は、柱状栓体を引き上げて上方へ移動させ容器を閉鎖する過程で、通気弁が開かれた状態にあり、容器の内外が通気孔により連通され、柱状栓体が引っ張れて上方へ移動する過程で、容器の内外圧力は常時にバランスが保持され、柱状栓体がロックするまで上方へ移動すると、通気弁が閉鎖され、同時に容器が閉鎖されるため、柱状栓体は引っ張れて上方へ移動する過程で容器の内外の圧力差（通気孔がない場合、その状態で容器の外圧力が容器の内圧力よりも大きい）を克服する必要がなく、引っ張りやすくなる。非常に小さい力で柱状栓体を上方へ移動するよう引っ張って容器の閉鎖を実現でき、上方へ引っ張る過程で真空化状態になって容器の内外の圧力差を克服しなければならないことにより上方への引っ張りが困難となることを回避して、容器の閉鎖の難しさが減らされる。
【図面の簡単な説明】
【００１６】
【図１】本発明の高速開閉する容器栓用の柱状栓体の前部シェルを含まない通気弁の閉鎖状態の模式図である。
【図２】本発明の高速開閉する容器栓用の柱状栓体の前部シェルを含まない通気弁の開き状態の模式図である。
【図３】本発明の高速開閉する容器栓用の柱状栓体における通気弁の分解及び原理模式図である。
【図４】本発明の高速開閉する容器栓用の柱状栓体における後部シェル及びベースの構造模式図である。
【図５】本発明の高速開閉する容器栓用の柱状栓体における前部シェルの構造模式図である。
【図６】本発明の高速開閉する容器栓用の柱状栓体の容器栓への適用の分解模式図である。
【発明を実施するための形態】
【００１７】
本発明の技術案を当業者によく理解させるために、以下、実施例及び図面を組み合わせて本発明の製品をさらに詳しく説明する。
【００１８】
図１乃至図６に示すように、高速開閉する容器栓用の柱状栓体は、栓棒２３を備え、前記栓棒２３の底部には容器へ挿入又は容器から引き抜き可能なベース３が設けられ、前記ベース３の形状及び大きさが容器の注ぎ口ストレート部又は容器の最小断面の形状及び大きさに対応するように構成され、前記ベース３の中心には、容器の内外圧力のバランスを保持するための通気孔４が設けられ、前記通気孔４には通気弁１２が設けられている。
本発明の高速開閉する容器栓用の柱状栓体は、ベース３の中心に通気孔４を設けるとともに、通気孔４に通気弁１２を設けることによって、柱状栓体の上方への移動で容器を閉鎖する、又は下方への移動で容器を開放する過程でいずれも通気孔４を介して容器の内外圧力のバランスの保持を実現し、その部品が少なく、構造が簡単で、コストが低い。
容器を開放する時には、柱状栓体は容器栓のストッパーベース２５から外され、通気弁１２が開かれ、容器の内外が通気孔４により連通され、柱状栓体は容器栓における弾性シールカートリッジ２４の弾性力の作用により下方へ移動し、柱状栓体の下方への移動過程において容器の内外圧力は、通気孔４の連通によって常時内外圧力のバランスが保持され、この過程では容器の内外の圧力差（通気孔４がない場合、その状態で容器の内圧力が容器の外圧力よりも大きい）を克服する必要がない。
例えば、容器内にサイダーのような炭酸飲料等の液体を入れると、炭酸飲料に大量の二酸化炭素ガスが存在するため、二酸化炭素ガスが液体の内部から徐々に抜き出て通気孔４から容器の外部へ排出され、弾性シールカートリッジ２４は、柱状栓体を迅速に下方へ連れて移動させ自然状態まで回復し、容器を高速に開放して、容器内の圧力が大き過ぎることによる容器栓の開放過程で柱状栓体が下方へ移動し難いことを効果的に回避できる。
他方、容器栓は、柱状栓体が引き上げられて上方へ移動させられることで容器が閉鎖される過程では、通気弁１２が開かれた状態にあり、容器の内外が通気孔４により連通され、柱状栓体が引っ張れて上方へ移動する過程では、容器の内外圧力は常時にバランスが保持され、柱状栓体がロックされまで上方へ移動すると、通気弁１２が閉鎖され、同時に容器が閉鎖されるため、柱状栓体は引っ張られて上方へ移動する過程で容器の内外の圧力差（通気孔４がない場合、その状態で容器の外圧力が容器の内圧力よりも大きい）を克服する必要がなく、引っ張りやすくなる。非常に小さい力で柱状栓体を上方へ移動するよう引っ張ることで容器の閉鎖を実現でき、上方へ引っ張る過程で真空化状態になって容器の内外の圧力差を克服しなければならないことによる上方への引っ張りが困難となることが回避される。
【００１９】
図３乃至図５を合わせて参照されるように、前記栓棒２３は、フラットボディの中空栓棒２３であり、前部シェル１と後部シェル２とを含み、前記前部シェル１及び後部シェル２は係合型で移動を可能とするように接続されているものであり、前記通気弁１２は、栓棒２３の中空キャビティー内に設けられる。
前記通気弁１２は、弁ロッド１６と弁ブロック１５とを備え、前記弁ロッド１６の上部は弁ブロック１５に接続され、前記弁ブロック１５と弁ロッド１６は一体成型構造又は別体構造であり、前記弁ロッド１６には通気ばね１３が装設され、前記通気ばね１３は、弁ブロック１５とベース３との間に位置し、前記弁ロッド１６の底部は通気孔４に挿入された後、シールリング１４が被せられ、前記弁ロッド１６には、シールリング１４に対応する一周の凹溝１７が設けられている。
前記通気弁１２の上方には、ロッキングするためのロック構造が設けられる。前記ロック構造は、二つのばね位置決めピンを備え、二つのばね位置決めピンは半径方向に沿って対向配置されている。
前記ばね位置決めピンは位置決めピンブロック８を含み、前記位置決めピンブロック８内には位置決めばね９が設けられ、前記ベース３の中部と位置決めばね９が合わせられる位置には位置決めばねストッパー５が設けられ、前記位置決めばねストッパー５は、中心から一定の距離で離され、前記位置決めピンブロック８は、栓棒２３内に係止されるための位置決め部２０と、栓棒２３から張り出して押圧するための押圧部２２とを備え、前記位置決め部２０の底面には、通気弁１２を下方へ動くように押圧して通気孔４を開くための第１の斜面部２１が設けられ、前記通気弁１２の弁ブロック１５の上面には第１の斜面部２１と合わせる第２の斜面部１８が設けられている。
通気弁１２を開く必要がある場合には、位置決めピンブロック８上の押圧部２２を押圧し、位置決めピンブロック８により位置決めばね９を圧縮して内部へスリップさせ、その時に、位置決め部２０の底面に設けられた第１の斜面部２１と弁ブロック１５の上面に設けられた第２の斜面部１８とが接触して、そして、第２の斜面部１８により弁ブロック１５を下方へ押圧してシールリング１４をベース３から外し、これにより通気弁１２が開かれ、容器の内外圧力のバランスが保持される。 
【００２０】
図１乃至図５合わせて参照されるように、二つの位置決めばねストッパー５の間には押圧通路６が形成され、前記押圧通路６内にはばね押圧ピン１０が設けられ、前記ばね押圧ピン１０内には押圧ばね１１が設けられ、前記ばね押圧ピン１０の底部には、両側に位置するばね位置決めピンのスリップをストップする一文字形状一文字形状のストッパー１９が設けられ、前記ばね押圧ピン１０の下方には、押圧ばねストッパー７が設けられている。
【００２１】
以上は、本発明の好ましい実施例に過ぎず、本発明を何ら形式的に限定するものではない。本分野の当業者であれば、明細書の図面に示されたことと以上の記述に従ってスムーズに本発明を実施することができる。そして、当業者であれば、本発明の技術案を逸脱しない範囲で、上記に開示された技術内容を利用して幾つかの変更、修飾及び変遷の同等変化を行うことができ、いずれも本発明の等価実施例である。同時に、本発明の実質的な技術に従って以上の実施例に対して行う如何なる同等変化の変更、修飾及び変遷等は、いずれも本発明の技術案の保護範囲に属するものである。 
【図１】
2019501843.tif 000003
【図２】
2019501843.tif 000004
【図３】
2019501843.tif 000005
【図４】
2019501843.tif 000006
【図５】
2019501843.tif 000007
【図６】
2019501843.tif 000008
【国際調査報告】
2019501843.tif 000009
2019501843.tif 000010
2019501843.tif 000011
2019501843.tif 000012
2019501843.tif 000013
2019501843.tif 000014